(57)【要約】【課題】階下の壁内空間部と階上の壁内空間部とで通気を行なう構造において、横架材の強度を保ったまま効果的な通気ができる通気構造を提供する。【解決手段】本発明の通気構造は、横架材３と、この横架材３の側面に固定された第一壁材５１と、横架材３の第一壁材５１が設けられた側面とは反対側の側面に固定された第二壁材５２と、横架材３と第一壁材５１と第二壁材５２との間に形成された壁内空間部６とを備えている。横架材３は、第一横架材３４と、第二横架材３５と、第一横架材３４と第二横架材３５とを連結する筒状金属体４１とを備えている。筒状金属体４１は、上下方向に開口し、階下１２側の壁内空間部６２と階上１１側の壁内空間部６１とを連通させる。【選択図】図１
2014134039.tif 000002
【特許請求の範囲】
【請求項１】
階下と階上との間に設けられた横架材と、
この横架材の一方側の側面に固定された第一壁材と、
前記横架材の前記第一壁材が設けられた側面とは反対側の側面に固定された第二壁材と、
前記横架材と前記第一壁材と前記第二壁材との間に形成された壁内空間部と
を備え、
階下側の壁内空間部と階上側の壁内空間部との間で通気を行なうよう構成された通気構造であって、
前記横架材は、
第一横架材と、
この第一横架材の長手方向の延長線上に隔設された第二横架材と、
前記第一横架材と前記第二横架材との間に配置され前記第一横架材と前記第二横架材とを連結する筒状金属体と
を備え、
前記筒状金属体は、上下方向に開口し、前記階下側の壁内空間部と前記階上側の壁内空間部とを連通させるものである
ことを特徴とする通気構造。
【請求項２】
前記筒状金属体は、前記第一壁材と前記第二壁材とが設けられる両側面に木質板が設けられている
ことを特徴とする請求項１記載の通気構造。
【発明の詳細な説明】
【技術分野】
【０００１】
本発明は、通気構造に関する。
【背景技術】
【０００２】
特許文献１には、従来の通気構造が開示されている。この特許文献１記載の通気構造は、建物の横架材の一方の側面側に石膏ボードが設けられ、その反対側に面材が設けられている。石膏ボードと面材と横架材との間には壁体内通気路が設けられている。特許文献１記載の通気構造は、壁体内通気路として、上方側の壁体内通気路と、下方側の壁体内通気路とを備えている。横架材の外側の側面には、上方側の壁体内通気路と、下方側の壁体内通気路とを連通する縦溝が設けられている。
【０００３】
この特許文献１記載の通気構造は、下方側の壁体内通気路内の空気が、縦溝を介して上方側の壁体内通気路内に向かって流通するようになっている。
【先行技術文献】
【特許文献】
【０００４】
【特許文献１】特開２００５−２９０６９４号公報
【発明の概要】
【発明が解決しようとする課題】
【０００５】
しかしながら、特許文献１記載の通気構造は、縦溝を介して通気するものであり、つまり、縦溝では断面積が小さいため、通気量が少なくなってしまう。一方、縦溝の断面積を大きくすると横架材の強度が弱くなってしまう。このため、横架材に縦溝が設けられた構造では、効果的な通気ができるだけの縦溝の断面積を確保することができないという問題があった。
【０００６】
本発明は、上記事情に鑑みてなされたものであり、その目的とするところは、階下の壁内空間部と階上の壁内空間部とで通気を行なう構造において、横架材の強度を保ったまま効果的な通気ができる通気構造を提供することにある。
【課題を解決するための手段】
【０００７】
本発明の通気構造は、階下と階上との間に設けられた横架材と、この横架材の一方側の側面に固定された第一壁材と、前記横架材の前記第一壁材が設けられた側面とは反対側の側面に固定された第二壁材と、前記横架材と前記第一壁材と前記第二壁材との間に形成された壁内空間部とを備え、階下側の壁内空間部と階上側の壁内空間部との間で通気を行なうよう構成された通気構造であって、前記横架材は、第一横架材と、この第一横架材の長手方向の延長線上に隔設された第二横架材と、前記第一横架材と前記第二横架材との間に配置され前記第一横架材と前記第二横架材とを連結する筒状金属体とを備え、前記筒状金属体は、上下方向に開口し、前記階下側の壁内空間部と前記階上側の壁内空間部とを連通させるものであることを特徴とする。
【０００８】
またこの通気構造において、前記筒状金属体は、前記第一壁材と前記第二壁材とが設けられる両側面に木質板が設けられていることが好ましい。
【発明の効果】
【０００９】
本発明の通気構造によれば、階下の壁内空間部と階上の壁内空間部とで通気を行なう構造において、横架材の強度を保ったまま効果的な通気を行なうことができる。
【図面の簡単な説明】
【００１０】
【図１】本実施形態の木造住宅の要部断面図である。
【図２】本実施形態の横架材の要部斜視図である。
【図３】本実施形態の横架材の分解斜視図である。
【発明を実施するための形態】
【００１１】
以下、本発明の実施形態について添付図面に基づいて説明する。
【００１２】
本実施形態の通気構造は、図１に示すように、二階建ての木造住宅に適用される。本実施形態の住宅は、建物１と、基礎７とを備えている。建物１は、一階（つまり、階下１２）と、二階（つまり、階上１１）とを備えている。
【００１３】
基礎７は、コンクリートにより形成されている。基礎７は、底面部７１と、底面部７１の外縁から立設された立上部７２とを備えている。底面部７１と立上部７２とに囲まれた部分は、床下空間７３を構成する。底面部７１及び立上部７２の内側面には、断熱材（図示せず）が被着されており、これにより、床下空間７３にはいわゆる基礎断熱が施されている。
【００１４】
なお、本実施形態の基礎断熱は内断熱であるが、外断熱であってもよい。
【００１５】
建物１は基礎７の上に設けられている。建物１は、基礎７の立上部７２に沿って載設された土台２０と、土台２０上に立設された柱２１（通し柱（図示せず）・管柱２２・間柱（図示せず））とを備えている。また、水平方向に対向する土台２０間には、複数の根太２３が架設されている。根太２３は、土台２０の上面に載設されている。根太２３上には床板２４が敷設される。
【００１６】
管柱２２および間柱の上端には、横架材３が設置される。横架材３は、対向する通し柱間に亙って設けられる。横架材３は、水平方向に長さを有する構造材である。横架材３としては、例えば、梁（胴差し３１・大梁３２など）や桁３３等が挙げられる。胴差し３１は、階下１２と階上１１との間に設けられている。また、大梁３２も、階下１２と階上１１との間に設けられている。言い換えると、これらの横架材３は、階下１２と階上１１との間に設けられている。
【００１７】
階下１２と階上１１との間に設けられた横架材３は、図２に示すように、第一横架材３４と、第二横架材３５と、接続体４とで構成されている。第一横架材３４と第二横架材３５と接続体４とは、同一直線上に配置されている。また、第一横架材３４と第二横架材３５とは離間している。言い換えると、第二横架材３５は、第一横架材３４の長手方向の延長線上に隔設されている。
【００１８】
第一横架材３４の第二横架材３５側の端部は、下方から管柱２２により支持されている。また、第二横架材３５の第一横架材３４側の端部は、下方から管柱２２により支持されている。
【００１９】
第一横架材３４は、図３に示すように、接続体４に連結される第一連結部３６を有している。第一連結部３６は、上下方向に並ぶ複数の（本実施形態では一対の）連結ボルト３８を備えている。連結ボルト３８は、第一横架材３４の第二横架材３５側の端面から、第二横架材３５側に向かって突出している。
【００２０】
第二横架材３５は、接続体４に連結される第二連結部３７を有している。第二連結部３７は、上下方向に並ぶ複数の（本実施形態では一対の）連結ボルト３８を備えている。連結ボルト３８は、第二横架材３５の第一横架材３４側の端面から、第一横架材３４側に向かって突出している。
【００２１】
接続体４は、筒状金属体４１と、一対の木質板４７とを備えている。接続体４は、第一横架材３４と第二横架材３５とを相互に連結する。接続体４は、横架材３の長手方向の一部に設けられている。なお、接続体４は、横架材３の長手方向のうちの一箇所に設けられていてもよいし、２箇所以上の複数箇所に設けられていてもよい。
【００２２】
接続体４の上下方向の寸法（つまり、幅）は、第一横架材３４および第二横架材３５の上下方向の寸法と同じとなるよう形成されている。また、接続体４における横架材３の長手方向に直角な水平方向（つまり、厚さ）は、第一横架材３４および第二横架材３５の長手方向に直角な水平方向の寸法と同じとなるよう形成されている。
【００２３】
筒状金属体４１は、上下方向に開口した角筒状に形成されている。筒状金属体４１の上下方向の両端の開口は連通している。筒状金属体４１は、例えば、帯状の金属板を平面視矩形枠状となるように曲げ加工することで形成される。筒状金属体４１は、横架材３の長手方向に平行な方向に長さを有している。筒状金属体４１は、例えば、鋼鉄により構成されている。
【００２４】
筒状金属体４１は、第一横架材３４と第二横架材３５とを相互に連結する。筒状金属体４１の長手方向の両端には、連結ボルト３８に接続可能な被連結部４２，４３が設けられている。筒状金属体４１は、被連結部４２，４３として、第一横架材３４の第一連結部３６に連結される第一被連結部４２と、第二横架材３５の第二連結部３７に連結される第二被連結部４３とを備えている。
【００２５】
第一被連結部４２は、導入部４４と、係止部４５とにより構成されている。導入部４４は、筒状金属体４１の長手方向の端部の下端から上方に向かって切り込まれたスリットにより構成されている。導入部４４は、下方に開口しており、上方には開口していない。
【００２６】
係止部４５は、導入部４４に繋がっており、導入部４４から横架材３の厚さ方向に向かって形成されている。係止部４５は、導入部４４と連続したスリットにより構成されている。係止部４５は、上下方向に離間して複数設けられている。係止部４５の上下方向のピッチは、連結ボルト３８の上下方向のピッチと同寸に形成されている。
【００２７】
第二被連結部４３も、導入部４４と係止部４５とにより構成されている。なお、第二被連結部４３は、第一被連結部４２と同じ構造であるため、説明を省略する。
【００２８】
筒状金属体４１の長手方向の中間部分には、補強部４６が設けられている。補強部４６は、筒状金属体４１の内部に設けられている。補強部４６は、金属材を溶接にて固定したものであってもよいし、木製の補強材を固着具や接着により固定したものであってもよい。
【００２９】
筒状金属体４１の長手方向とは直角な水平方向の両端面には、木質板４７が設けられている。木質板４７は、例えば、合板により構成されている。木質板４７の主面は、接続体４が第一横架材３４と第二横架材３５との間に取り付けられると、図２に示すように、横架材３の側面（水平方向に臨む面）と略面一となる。木質板４７は、固着具を介して筒状金属体４１に固定される。
【００３０】
接続体４は、第一横架材３４と第二横架材３５とを掛け渡すようにして設置される。施工者は、接続体４の導入部４４に、第一横架材３４および第二横架材３５の連結ボルト３８を挿入するようにして、接続体４を上方から下方に向かってスライド移動させる。その後、施工者は、接続体４を水平方向に移動させて、連結ボルト３８を係止部４５内に移動させる。この状態で、施工者は、連結ボルト３８にナットを螺合する。
【００３１】
これにより、接続体４は、第一横架材３４と第二横架材３５とを連結する。つまり、筒状金属体４１は、第一横架材３４と第二横架材３５との間に配置され、これにより、第一横架材３４と第二横架材３５とを連結する。
【００３２】
また、特に図示しないが、筒状金属体４１の補強部４６の上下方向の両方またはいずれか一方には間柱が固定される。
【００３３】
この横架材３には、図１に示すように、第一壁材５１と、第二壁材５２とが取り付けられる。
【００３４】
第一壁材５１は、横架材３の一方側の側面に固定されている。第一壁材５１は、例えば、横架材３が胴差し３１の場合、合板からなる構造用面材により構成される。第一壁材５１は、例えば、横架材３が大梁３２の場合、石膏ボードにより構成される。第一壁材５１は、階上１１側と階下１２側とで分離していてもよいし、階上１１側と階下１２側とで一体となっていてもよい。
【００３５】
例えば、横架材３が胴差し３１の場合、第一壁材５１は、胴差し３１の外側の側面に固定される。この場合、第一壁材５１は、階下１２の下端から階上１１の上端に亙って設けられる。また、例えば、横架材３が大梁３２の場合、第一壁材５１は、大梁３２の水平方向に臨む面のうちのいずれかの側面に固定される。この場合、第一壁材５１は、階下１２の下端から階下１２の上端に亙って設けられ、また、階上１１の下端から階上１１の上端に亙って設けられる。
【００３６】
第二壁材５２は、横架材３の第一壁材５１が設けられた側とは反対側の側面に固定されている。第二壁材５２は、例えば、石膏ボードにより構成されている。第二壁材５２は、階上１１側と階下１２側とで分離していてもよいし、階上１１側と階下１２側とで一体となっていてもよい。
【００３７】
例えば横架材３が胴差し３１の場合、第二壁材５２は、胴差し３１の内側の側面に固定される。また、横架材３が大梁３２の場合、第二壁材５２は、大梁３２の第一壁材５１が設けられた側とは反対側の側面に固定される。第二壁材５２は、階下１２の下端から階下１２の上端に亙って設けられ、また、階上１１の下端から階上１１の上端に亙って設けられる。
【００３８】
第一壁材５１と第二壁材５２との間には、壁内空間部６が設けられている。本実施形態の建物１は、壁内空間部６が横架材３により上下に区画されている。つまり、第一壁材５１と第二壁材５２と横架材３との間には、壁内空間部６が設けられている。本実施形態では、この壁内空間部６として、階上１１に設けられた上側壁内空間部６１と、階下１２に設けられた下側壁内空間部６２とを備えている。
【００３９】
下側壁内空間部６２は、階下１２側の第一壁材５１と、階下１２側の第二壁材５２と、階上１１と階下１２との間に設けられた横架材３と、土台２０とに囲まれた部分で構成されている。階下１２側の第二壁材５２の下方には、床下連通口６３が設けられている。床下連通口６３は、下側壁内空間部６２と床下空間７３とを連通する。言い換えると、下側壁内空間部６２は、床下空間７３に向かって開口している。
【００４０】
上側壁内空間部６１は、階上１１側の第一壁材５１と、階上１１側の第二壁材５２と、階上１１と階下１２との間に設けられた横架材３と、階上１１の上端部に設けられた横架材３とに囲まれた部分で構成されている。階上１１側の第二壁材５２の上端部には、天井裏連通口６４が設けられている。天井裏連通口６４は、上側壁内空間部６１と小屋裏空間１３とを連通する。言い換えると、上側壁内空間部６１は、小屋裏空間１３に向かって開口している。
【００４１】
なお、天井裏連通口６４は、天井板１４のない屋根裏に向かって開口したものであってもよい。つまり、小屋裏空間１３とは、天井板１４と屋根との間の空間だけでなく、天井板１４のない屋根下の空間をも含むものとする。
【００４２】
下側壁内空間部６２と上側壁内空間部６１とは、筒状金属体４１を介して連通している。つまり、下側壁内空間部６２の床下連通口６３と、上側壁内空間部６１の天井裏連通口６４とは連通し、床下連通口６３から天井裏連通口６４に亙って通気路が形成されている。
【００４３】
この通気路には、送風ファン８が設けられている。送風ファン８は、通気路内の空気を流通させる。また、送風ファン８には制御装置が接続されており、正逆回転可能に制御される。これにより、送風ファン８は、下側壁内空間部６２内の空気を上側壁内空間部６１内へ向かって流通させるか、又は、上側壁内空間部６１内の空気を下側壁内空間部６２内へ向かって流通させるかを選択可能に制御される。
【００４４】
送風ファン８が駆動すると、床下空間７３の空気が下側壁内空間部６２内に向かって流通する（この回転を正回転とする）。下側壁内空間部６２に流入した空気は、筒状金属体４１を介して、上側壁内空間部６１内に向かって流通する。そして、上側壁内空間部６１に流入した空気は、天井裏連通口６４を介して、小屋裏空間１３内を流通する。
【００４５】
この壁内空間部６を介した通気路は、建物１の複数箇所に設けられている。したがって、小屋裏空間１３を流通した空気は、他の通気路の天井裏連通口６４を介して、他の通気路の上側壁内空間部６１・筒状金属体４１・下側壁内空間部６２を流通し、床下空間７３に流入する。これにより、床下空間７３の空気は、小屋裏空間１３との間で循環する。
【００４６】
また、送風ファン８が逆回転駆動すると、正回転時の上記流通経路とは反対方向に空気が流通する。
【００４７】
これにより、壁内空間部６を利用して建物１内の通気を行なうことができるため、ダクトを設けるスペースを別途必要とせずに、小屋裏空間１３や床下空間７３に湿気や熱気が滞留するのを防ぐことができる。さらに、横架材３を避けた通気路を別途設ける必要がないため、施工が容易となり、また、設計上の自由度を向上させることができる。
【００４８】
以上説明したように、本実施形態の通気構造は、横架材３と、第一壁材５１と、第二壁材５２と、壁内空間部６とを備えている。横架材３は、階下１２と階上１１との間に設けられている。第一壁材５１は、横架材３の一方側の側面に固定されている。第二壁材５２は、横架材３の第一壁材５１が設けられた側面とは反対側の側面に固定されている。壁内空間部６は、横架材３と第一壁材５１と第二壁材５２との間に形成されている。本実施形態の通気構造は、階下１２側の壁内空間部６と階上１１側の壁内空間部６との間で通気を行なうものである。横架材３は、第一横架材３４と、第二横架材３５と、筒状金属体４１とを備えている。第二横架材３５は、第一横架材３４の長手方向の延長線上に隔設されている。筒状金属体４１は、第一横架材３４と前記第二横架材３５との間に配置されており、第一横架材３４と前記第二横架材３５とを連結する。そして、筒状金属体４１は、上下方向に開口し、これにより、階下１２側の壁内空間部６と階上１１側の壁内空間部６とを連通させるものである。
【００４９】
このように本実施形態の通気構造は、横架材３の長手方向の一部が金属製の筒状金属体４１により構成されているため、横架材３の曲げ強度を保ちながら、通気路の断面積を極力大きく確保することができる。
【００５０】
また、本実施形態の通気構造によれば、横架材３を避けた複雑な通気路を設ける必要がなく、上下方向にまっすぐに空気を流通させることができるため、通気抵抗を低減させることができる。この結果、送風ファン８の負荷を低減させることができる。
【００５１】
また、本実施形態の筒状金属体４１は、第一壁材５１と第二壁材５２とが設けられる両側面に木質板４７が設けられている。
【００５２】
このため、第一壁材５１と第二壁材５２とを横架材３の側面に固定するに当たり、固着具を用いて固定することができる。この結果、筒状金属体４１を用いた場合であっても、施工性を低下しにくくできる。
【００５３】
また、第一壁材５１と第二壁材５２とに断熱材を付設してもよい。この場合、第一壁材５１における第二壁材５２との対向面と、第二壁材５２における第一壁材５１との対向面との両方またはいずれか一方に断熱材が取り付けられることが好ましい。特に、第一壁材５１が屋外側に取り付けられる場合には、第一壁材５１に断熱材が取り付けられることが好ましい。このように本実施形態の通気構造によれば、断熱材を付設するスペースを新たに設けなくてもよい。
【符号の説明】
【００５４】
１      建物
１１    階上
１２    階下
１３    小屋裏空間
３      横架材
３４    第一横架材
３５    第二横架材
３８    連結ボルト
４      接続体
４１    筒状金属体
４７    木質板
５１    第一壁材
５２    第二壁材
６      壁内空間部
６１    上側壁内空間部
６２    下側壁内空間部
６３    床下連通口
６４    天井裏連通口
７      基礎
７１    底面部
７２    立上部
７３    床下空間
８      送風ファン
【図１】
2014134039.tif 000003
【図２】
2014134039.tif 000004
【図３】
2014134039.tif 000005